(57)【要約】【課題】画像形成装置が用いる認証装置およびそのハーネスの取り付け構造を改良して美観を損ねないようにする。【解決手段】認証装置３のハーネス５は、操作部２内のコントローラ基板６に接続される。コントローラ基板６にはハーネス５が接続される設けたコネクタを設け、接続するハーネス５の経路は、画像形成装置１の外装７（７ａ、７ｂ、７ｃ）および操作部２の外装８の内側とし、画像形成装置１外に露出せず、美観を損なわない。外装７ｃ廻りの蓋部材を構成する外装材の内部にハーネス５を収容する空間を確保する。操作部２は、画像形成装置１に対して回転軸９を中心に上下方向に回動できる。操作部２の回動とともに、回転軸９の近傍のハーネス５が位置を変えても、ハーネスの軌跡１０に対して干渉しない切り欠き形状の開口部１１を外装７ａに設けて対処する。【選択図】図３
2017026843.tif 000002
【特許請求の範囲】
【請求項１】
操作部と、情報記録媒体に格納された情報を読み取る認証装置とを、ハーネスを用いて接続する画像形成装置において、
前記ハーネスが、前記操作部と前記認証装置との間を接続するものであり、
該ハーネスが、前記画像形成装置の装置本体の外装の内部に収容される、
ことを特徴とする画像形成装置。
【請求項２】
請求項１に記載の画像形成装置において、
前記認証装置を収容する空間を形成する突出部を形成した蓋部材を備え、
前記ハーネスは、前記蓋部材の内部と、前記装置本体の外装の内部に収容される、
ことを特徴とする画像形成装置。
【請求項３】
請求項１に記載の画像形成装置において、
前記操作部と前記装置本体を連結する部位の外装の内部に、前記ハーネスを収容できる空間を有する、
ことを特徴とする画像形成装置。
【請求項４】
請求項３に記載の画像形成装置において、
前記操作部と前記装置本体を連結する部位を通る軸の周りで前記操作部が回動可能である、
ことを特徴とする画像形成装置。
【請求項５】
請求項３又は４に記載の画像形成装置において、
前記操作部と前記装置本体を連結する部位の外装が、前記操作部が回動する際の前記ハーネスの軌跡領域を切欠いた形状の開口を有する、
ことを特徴とする画像形成装置。
【請求項６】
請求項１乃至５のいずれか一項に記載の画像形成装置において、
前記認証装置が、画像形成装置の前面側の外装の脱着のみで画像形成装置に対して装着可能である、
ことを特徴とする画像形成装置。
【発明の詳細な説明】
【技術分野】
【０００１】
本発明は、認証装置を備える画像形成装置に関する。
【背景技術】
【０００２】
ＩＣカードなどの情報記録媒体に格納された情報を読み取る認証装置を備え、認証装置のハーネスが画像形成装置本体に設けられた電装ボックスに収納されたコントローラ基板に接続される構成の画像形成装置が既に知られている。このような画像形成装置で、認証装置やそのハーネスが画像形成装置外部にむき出しで接続されると、美観上好ましくない。そのため、専用の部材および画像形成装置本体の外装を用いて、認証装置やそのハーネスを画像形成装置本体に内蔵する方法が既に知られている。
【０００３】
ところで、近年、画像形成装置が備える操作部の高機能化により、操作部がコントローラ機能/基板を持つ画像形成装置、つまり認証装置のハーネスが操作部に接続される画像形成装置が開発されている。このような画像形成装置においても、前記の画像形成装置と同様に、認証装置およびそのハーネスが画像形成装置本体に内蔵されていることが美観上から好ましい。
【０００４】
特許文献１には、着脱可能な認証装置を容易に内蔵できる画像形成装置を提供する目的で、認証装置を収容する空間を形成する蓋部材を備える方法が開示されている。この画像形成装置は、操作部を備え、情報記録媒体に格納された情報を読み取る認証装置を配置できる。また認証装置を収容する空間を形成する突出部を形成した蓋部材を備えている。ハーネスは画像形成装置の外装の内部に収容されることを特徴としている。しかしながら、認証装置のハーネスについては考慮されていない。
【発明の概要】
【発明が解決しようとする課題】
【０００５】
本発明は、認証装置およびそのハーネスの取り付け構造を改良して美観を損ねないようにした画像形成装置を提供することを目的とする。
【課題を解決するための手段】
【０００６】
本発明に係る画像形成装置は、操作部と、情報記録媒体に格納された情報を読み取る認証装置とを、ハーネスを用いて接続する画像形成装置において、前記ハーネスが、前記操作部と前記認証装置との間を接続するものであり、該ハーネスが、前記画像形成装置の装置本体の外装の内部に収容される、ことを特徴とする。
【発明の効果】
【０００７】
本発明によれば、認証装置のハーネスが操作部に接続される画像形成装置において、認証装置およびそのハーネスを画像形成装置本体に内蔵することで、美観を損ねない画像形成装置を提供することができる。
【図面の簡単な説明】
【０００８】
【図１】本発明の実施対象となる画像形成装置の一例を示す斜視図である。
【図２】図１の装置の、操作部および認証装置の部分の拡大斜視図である。
【図３】操作部を回動可能に支持する構造を示す拡大斜視図である。
【発明を実施するための形態】
【０００９】
本発明の実施の形態を説明する。
本発明は、操作部を備え、情報記録媒体に格納された情報を読み取る認証装置を配置でき、前記認証装置を収容する空間を形成する突出部を形成した蓋部材を備え、操作部に設けたコネクタに対して、認証装置に設けるハーネスを接続するようにした画像形成装置であって、以下の特徴を有する。要するに、ハーネスが画像形成装置本体の外装の内部に収容されることが特徴になっている。
【００１０】
このような本発明の特徴について、以下に図面を参照して詳細に説明する。なお、本明細書においてハーネスとは、複数本のワイヤからなるものだけでなく、単一のワイヤからなるものなど、いわゆる線条体を含んだ形態あるいは線条体を含んだかに見える外観を有する配線材のすべてを含むものとする。
図１は、本発明の実施対象となる画像形成装置の一例を示す斜視図である。図示の画像形成装置１は、装置本体１ａが、操作部２および認証装置３（図２に示す）を有している。認証装置３は、装置本体１ａの外装の一部を構成するケース４に収容され、画像形成装置１の外には露出しない構成となっている。また認証装置３は、必要なユーザのみに対応できるように、後付けが可能なオプションとなっている。
【００１１】
図２は、操作部２および認証装置３の部分の拡大斜視図（ａ：前面側、ｂ：背面側）であり、図３は、操作部２を回動可能に支持する構造を示す拡大斜視図である。認証装置３のハーネス５は、操作部２内のコントローラ基板６に接続される。また認証装置３は、画像形成装置１の前面側の外装であるケース４の脱着のみで画像形成装置１に対して装着可能に設けてある。
【００１２】
図示は省略したが、コントローラ基板６にはハーネス５が接続される設けたコネクタが設けてある。接続するハーネス５の経路は、ケース４及び画像形成装置１の外装７（７ａ、７ｂ、７ｃ）の内部と、操作部２の外装８の内側とし、画像形成装置１外に露出せず、美観を損なわないようになっている。図２（ｂ）は、操作部２の外装８を外した状態を示し、ハーネス５は外装８を装着することで外部からは見えなくなる。すなわち、画像形成装置１の装置本体１ａ外へハーネス５が露出しないため画像形成装置１の美観を損なわない。なお、認証装置３からコントローラ基板６までの経路に対してハーネス５の長さが長い、あるいは長すぎる場合は、外装７ｃｃ廻りの蓋部材を構成する外装材の内部にハーネス５を収容する空間を確保すればよい。
【００１３】
操作部２は、画像形成装置１に対して、外装７ｃによる保持箇所を通る回転軸９を中心に上下方向に回動できる構成としてある。すなわち操作部２は、操作者の操作に応じて角度を変化させることができる。この操作部２の回動とともに、回転軸９の近傍のハーネス５が位置を変えることとなる。そのため、図３に示すように、操作部２の回動時におけるハーネスの軌跡１０に対して干渉しないような切り欠き形状の開口部１１を外装７ｃに設けてあり、ハーネス５が位置を変えても、ハーネスの軌跡１０に対して干渉しないようにしてある。
【００１４】
詳細には、開口部１１はほとんどが外装材７ｃの下側部分を構成する外装材に設けてある。この切り欠き形状の開口部１１は、操作部２が回動する際のハーネス５の軌跡領域を切欠いた形状としてある。これにより、ハーネス５が操作部２の回動を妨げない構成、換言すれば操作部２の回動が妨げられない構成となっている（図３）。
【００１５】
本発明は以上説明した実施形態に限定されるものではなく、多くの変形が本発明の技術的思想内で当分野において通常の知識を有する者により可能である。
【符号の説明】
【００１６】
１：画像形成装置
１ａ：装置本体
２：操作部
３：認証装置
４：ケース
５：ハーネス
６：コントローラ基板
７、７ａ、７ｂ、７ｃ：画像形成装置の外装
８：操作部の外装
１０：ハーネスの軌跡
１１：切り欠き形状の開口部
【先行技術文献】
【特許文献】
【００１７】
【特許文献１】特開2014-232305号公報
【図１】
2017026843.tif 000003
【図２】
2017026843.tif 000004
【図３】
2017026843.tif 000005